(57)【要約】【課題】背もたれをリクライニングさせるために必要な椅子の後方のスペースを小さくするリクライニング椅子、および、これを備えるマッサージ機を提供する。【解決手段】リクライニング椅子１０は、座１１の土台を構成する土台フレーム２０と、土台フレーム２０に対して前後方向に移動し得る座フレーム３０と、座フレーム３０と連動して前後方向に移動しながら土台フレーム２０に対して回転できるように座フレーム３０に接続される背フレーム５０とを備える。また、土台フレーム２０に固定され、土台フレーム２０に対して前後方向に伸びる座レール２５と、座レール２５に対して前後方向に走行できるように座レール２５に支持され、座フレーム３０に取り付けられる座走行具３４とを備える。さらに、土台フレーム２０に対して前後方向に移動または回転できるように土台フレーム２０と座フレーム３０とを互いに接続する接続フレームとを備える。【選択図】図３Ａ
2016013237.tif 000002
【特許請求の範囲】
【請求項１】
座の土台を構成する土台フレームと、
前記土台フレームに対して前後方向に移動し得る座フレームと、
前記座フレームと連動して前記土台フレームに対して前後方向に移動しながら前記土台フレームに対して回転できるように前記座フレームに接続される背フレームと、
前記土台フレームに固定され、前記土台フレームに対して前後方向に伸びるように形成される座レールと、
前記座レールに対して前後方向に走行できるように前記座レールに支持され、前記座フレームに取り付けられる座走行具と、
前記土台フレームに対して前後方向に移動または回転できるように前記土台フレームと前記座フレームとを互いに接続する接続フレームと
を備える
リクライニング椅子。
【請求項２】
座の土台を構成する土台フレームと、
前記土台フレームに対して前後方向に移動し得る座フレームと、
前記座フレームと連動して前記土台フレームに対して前後方向に移動しながら前記土台フレームに対して回転できるように前記座フレームに接続される背フレームと、
前記座フレームに固定され、前記土台フレームに対して前後方向に伸びるように形成される座レールと、
前記土台フレームに取り付けられる座走行具と、
前記土台フレームに対して前後方向に移動または回転できるように前記土台フレームと前記座フレームとを互いに接続する接続フレームと
を備え、
前記座レールが前記座走行具に対して前後方向に移動できるように前記座走行具に支持される
リクライニング椅子。
【請求項３】
前記接続フレームが、前記土台フレームおよび前記座フレームに対して前後方向に回転できるように前記土台フレームと前記座フレームとを互いに接続する回転フレームである
請求項１または２に記載のリクライニング椅子。
【請求項４】
前記座フレームが前記土台フレームに対して前方に移動するにつれて、前記座フレームのうちの前方の部分が後方の部分に対して上昇するように、前記座フレームに前記回転フレームが接続される
請求項３に記載のリクライニング椅子。
【請求項５】
前記座フレームのうちの前方の部分が後方の部分に対して上昇するように前記座フレームが所定の位置まで前方に移動した後、前記座フレームが前記土台フレームに対してさらに前方に移動するにつれて、前記座フレームのうちの前方の部分が後方の部分に対して下降するように、前記座フレームに前記回転フレームが接続される
請求項４に記載のリクライニング椅子。
【請求項６】
前記背フレームが前記土台フレームに対して最も前方に回転した状態を形成しているとき、前記座レールのうちの前記土台フレームに対して前方側の先端部分が前記土台フレームと前記回転フレームとの接続部分よりも前記土台フレームに対して後方の位置を取るように、前記土台フレームに前記回転フレームが接続される
請求項３〜５のいずれか一項に記載のリクライニング椅子。
【請求項７】
前記背フレームが前記土台フレームに対して最も前方に回転した状態を形成しているとき、前記座フレームと前記回転フレームとの接続部分が前記座レールの先端部分よりも前記土台フレームに対して後方の位置を取るように、前記座フレームに前記回転フレームが接続される
請求項６に記載のリクライニング椅子。
【請求項８】
前記背フレームが前記土台フレームに対して最も後方に回転した状態を形成しているとき、前記座フレームと前記回転フレームとの接続部分が、前記座レールの先端部分よりも前記土台フレームに対して前方の位置を取るように、前記座フレームに前記回転フレームが接続される
請求項１を直接的または間接的に引用する請求項３〜７のいずれか一項に記載のリクライニング椅子。
【請求項９】
前記座レールが真直である
請求項４〜８のいずれか一項に記載のリクライニング椅子。
【請求項１０】
前記土台フレームと前記回転フレームとのなす角が４５°〜１３５°の範囲内を前記回転フレームが回転するように設定される
請求項３〜９のいずれか一項に記載のリクライニング椅子。
【請求項１１】
前記土台フレームに固定され、前記土台フレームに対して前後方向に伸びるように形成される背レールと、
前記背レールに対して前後方向に走行できるように前記背レールに支持され、前記背フレームに取り付けられる背走行具と
をさらに備える
請求項１〜１０のいずれか一項に記載のリクライニング椅子。
【請求項１２】
前記背フレームに固定され、前記土台フレームに対して前後方向に伸びるように形成される背レールと、
前記土台フレームに取り付けられる背走行具と
をさらに備え、
前記背レールが前記背走行具に対して前後方向に移動できるように前記背走行具に支持される
請求項１〜１０のいずれか一項に記載のリクライニング椅子。
【請求項１３】
前記座レールのうちの前記土台フレームに対して前方の部分に形成され、前記座走行具と接触し得る第１の座ストッパーと、
前記座レールのうちの前記土台フレームに対して後方の部分に形成され、前記座走行具と接触し得る第２の座ストッパーと、
前記背レールのうちの前記土台フレームに対して前方の部分に形成され、前記背走行具と接触し得る第１の背ストッパーと、
前記背レールのうちの前記土台フレームに対して後方の部分に形成され、前記背走行具と接触し得る第２の背ストッパー
のうちの少なくとも１つのストッパーを備える
請求項１１または１２に記載のリクライニング椅子。
【請求項１４】
前記土台フレームは、前記座フレームの移動方向である前後方向に伸びるように形成され、前記座フレームの幅方向において間隔を空けて配置される右側の設置フレームおよび左側の設置フレーム、ならびに、前記右側の設置フレームと前記左側の設置フレームとを互いに接続する連結設置フレームを備え、
前記右側の設置フレーム、前記左側の設置フレーム、および、前記連結設置フレームのそれぞれは、前記土台フレームのうちの底を構成し、
前記回転フレームが、前記座フレームおよび前記設置フレーム、または、前記座フレームおよび前記連結設置フレームを互いに接続する
請求項３を直接的または間接的に引用する請求項４〜１３のいずれか一項に記載のリクライニング椅子。
【請求項１５】
前記回転フレームが前記設置フレームの前方の部分に接続される
請求項１４に記載のリクライニング椅子。
【請求項１６】
前記連結設置フレームが、前記右側の設置フレームの前方の部分と前記左側の設置フレームの前方の部分とを互いに接続し、
前記回転フレームが前記座フレームと前記連結設置フレームとを互いに接続する
請求項１４に記載のリクライニング椅子。
【請求項１７】
前記回転フレームと接触することにより、前記回転フレームの回転を規制する第１のストッパー、第２のストッパー、第３のストッパー、および、第４のストッパーのうちの少なくとも１つのストッパーを備え、
前記第１のストッパーは、前記連結設置フレームと前記回転フレームとの接続部分の前方側に形成され、
前記第２のストッパーは、前記連結設置フレームと前記回転フレームとの接続部分の後方側に形成され、
前記第３のストッパーは、前記座フレームと前記回転フレームとの接続部分の前方側に形成され、
前記第４のストッパーは、前記座フレームと前記回転フレームとの接続部分の後方側に形成される
請求項１４または１６に記載のリクライニング椅子。
【請求項１８】
前記回転フレームと前記ストッパーとが接触するとき、前記座走行具と前記座ストッパーとの間、および、前記背走行具と前記背ストッパーとの間に間隔が形成される
請求項１３を間接的に引用する請求項１７に記載のリクライニング椅子。
【請求項１９】
前記座レールが前記座フレームよりも下方に配置され、
前記背レールが前記背フレームよりも下方に配置される
請求項１１または１２、あるいは、請求項１１または１２を直接的あるいは間接的に引用する請求項１３〜１８のいずれか一項に記載のリクライニング椅子。
【請求項２０】
前記座走行具および前記背走行具の一方または両方が、ピニオンギアにより構成され、
前記座レールおよび前記背レールのうちの前記ピニオンギアと対応する一方または両方のレールの内面にラックギアが形成される
請求項１１または１２、あるいは、請求項１１または１２を直接的あるいは間接的に引用する請求項１３〜１９のいずれか一項に記載のリクライニング椅子。
【請求項２１】
座の土台を構成する土台フレームと、
前記土台フレームに対して前後方向に移動し得る座フレームと、
前記土台フレームに対して前後方向に移動しながら前記土台フレームに対して回転できるように前記座フレームに接続される背フレームと、
前記座フレームおよび前記背フレームの一方を前記土台フレームに対して前後方向に移動させることにより、前記背フレームを前記土台フレームに対して回転させる駆動部と、
前記土台フレームに固定され、前記土台フレームに対して前後方向に伸びるように形成される座レールと、
前記座レールに対して前後方向に走行できるように前記座レールに支持され、前記座フレームに取り付けられる座走行具と
を備え、
前記駆動部が前記背フレームよりも後方の空間に配置される
リクライニング椅子。
【請求項２２】
座の土台を構成する土台フレームと、
前記土台フレームに対して前後方向に移動し得る座フレームと、
前記土台フレームに対して前後方向に移動しながら前記土台フレームに対して回転できるように前記座フレームに接続される背フレームと、
前記座フレームおよび前記背フレームの一方を前記土台フレームに対して前後方向に移動させることにより、前記背フレームを前記土台フレームに対して回転させる駆動部と、
前記座フレームに固定され、前記土台フレームに対して前後方向に伸びるように形成される座レールと、
前記土台フレームに取り付けられる座走行具と
を備え、
前記駆動部が前記背フレームよりも後方の空間に配置され、
前記座レールが前記座走行具に対して前後方向に移動できるように前記座走行具に支持される
リクライニング椅子。
【請求項２３】
請求項１〜２２のいずれか一項に記載のリクライニング椅子を備えるマッサージ機。
【発明の詳細な説明】
【技術分野】
【０００１】
本発明は、リクライニング椅子、および、これを備えるマッサージ機に関する。
【背景技術】
【０００２】
背もたれをリクライニングさせることによりユーザーの姿勢を変化させるリクライニング椅子が知られている。特許文献１は、リクライニング椅子の一例を開示している。
【先行技術文献】
【特許文献】
【０００３】
【特許文献１】特開２００２−１７４９４号公報
【発明の概要】
【発明が解決しようとする課題】
【０００４】
特許文献１のリクライニング椅子は、背もたれのリクライニングにともない、背もたれの上端が椅子の後方に移動する。このため、背もたれをリクライニングさせるためのスペースを予め椅子の後方に設ける必要がある。このため、室内等においてリクライニング椅子を配置するためには広いスペースが必要となる。
【０００５】
本発明の目的は、背もたれをリクライニングさせるために必要な椅子の後方のスペースを小さくするリクライニング椅子、および、これを備えるマッサージ機を提供することである。
【課題を解決するための手段】
【０００６】
リクライニング椅子の一形態によれば、座の土台を構成する土台フレームと、前記土台フレームに対して前後方向に移動し得る座フレームと、前記座フレームと連動して前記土台フレームに対して前後方向に移動しながら前記土台フレームに対して回転できるように前記座フレームに接続される背フレームと、前記土台フレームに固定され、前記土台フレームに対して前後方向に伸びるように形成される座レールと、前記座レールに対して前後方向に走行できるように前記座レールに支持され、前記座フレームに取り付けられる座走行具と、前記土台フレームに対して前後方向に移動または回転できるように前記土台フレームと前記座フレームとを互いに接続する接続フレームとを備える。
【発明の効果】
【０００７】
リクライニング椅子、および、これを備えるマッサージ機の一形態によれば、背もたれをリクライニングさせるために必要な椅子の後方のスペースを小さくすることができる。
【図面の簡単な説明】
【０００８】
【図１】実施の形態１のマッサージ機の斜視図。
【図２】実施の形態１のリクライニング椅子のフレームの斜視図。
【図３Ａ】実施の形態１のリクライニング椅子のフレームの側面図。
【図３Ｂ】実施の形態１のリクライニング椅子がリクライニングした状態を示す側面図。
【図３Ｃ】実施の形態１のリクライニング椅子がさらにリクライニングした状態を示す側面図。
【図４Ａ】実施の形態２のリクライニングの椅子のフレームの側面図。
【図４Ｂ】実施の形態２のリクライニング椅子がリクライニングした状態を示す側面図。
【図４Ｃ】実施の形態２のリクライニング椅子がさらにリクライニングした状態を示す側面図。
【図５】変形例のリクライニング椅子のフレームの側面図。
【図６】別の変形例のリクライニング椅子のフレームの側面図。
【図７】さらに別の変形例のリクライニング椅子のフレームの側面図。
【発明を実施するための形態】
【０００９】
（リクライニング椅子が取り得る形態の一例）
〔１〕リクライニング椅子の一形態によれば、座の土台を構成する土台フレームと、前記土台フレームに対して前後方向に移動し得る座フレームと、前記座フレームと連動して前記土台フレームに対して前後方向に移動しながら前記土台フレームに対して回転できるように前記座フレームに接続される背フレームと、前記土台フレームに固定され、前記土台フレームに対して前後方向に伸びるように形成される座レールと、前記座レールに対して前後方向に走行できるように前記座レールに支持され、前記座フレームに取り付けられる座走行具と、前記土台フレームに対して前後方向に移動または回転できるように前記土台フレームと前記座フレームとを互いに接続する接続フレームとを備える。
【００１０】
上記リクライニング椅子によれば、座フレームおよび背フレームが連動して土台フレームに対して前方に移動するとき、座走行具が座レールに対して前方に走行し、接続フレームが土台フレームに対して前方に移動または回転する。そして、背フレームは、前方に向かって移動するとともに土台フレームに対して回転する。すなわち、背フレームは、座フレームとの接続部分を前方に向かって移動させながら回転する。このため、背フレームの回転にともない、背フレームが土台フレームに対して後方に移動しにくくなる。このため、背もたれをリクライニングさせるために必要な椅子の後方のスペースを小さくすることができる。
【００１１】
〔２〕リクライニング椅子の一形態によれば、座の土台を構成する土台フレームと、前記土台フレームに対して前後方向に移動し得る座フレームと、前記座フレームと連動して前記土台フレームに対して前後方向に移動しながら前記土台フレームに対して回転できるように前記座フレームに接続される背フレームと、前記座フレームに固定され、前記土台フレームに対して前後方向に伸びるように形成される座レールと、前記土台フレームに取り付けられる座走行具と、前記土台フレームに対して前後方向に移動または回転できるように前記土台フレームと前記座フレームとを互いに接続する接続フレームとを備える。また、前記座レールが前記座走行具に対して前後方向に移動できるように前記座走行具に支持される。
【００１２】
上記リクライニング椅子によれば、上記〔１〕のリクライニング椅子の作用に準じた作用が形成される。このため、上記〔１〕のリクライニング椅子により得られる効果と同様の効果が得られる。
【００１３】
〔３〕前記リクライニング椅子の一形態によれば、前記接続フレームが、前記土台フレームおよび前記座フレームに対して前後方向に回転できるように前記土台フレームと前記座フレームとを互いに接続する回転フレームである。
【００１４】
上記リクライニング椅子によれば、上記〔１〕のリクライニング椅子の作用に準じた作用が形成される。このため、上記〔１〕のリクライニング椅子により得られる効果と同様の効果が得られる。
【００１５】
〔４〕前記リクライニング椅子の一形態によれば、前記座フレームが前記土台フレームに対して前方に移動するにつれて、前記座フレームのうちの前方の部分が後方の部分に対して上昇するように、前記座フレームに前記回転フレームが接続される。
【００１６】
リクライニング椅子を使用するユーザーは、一般に、座に腰かける位置である着座位置を決めた後に、背もたれをリクライニングする。上記リクライニング椅子によれば、座フレームが土台フレームに対して前方に移動するにつれて、ユーザーの大腿が臀部よりも相対的に上方に向かって移動する。このため、ユーザーの臀部が前方に移動しにくい状態が形成される。このため、背もたれをリクライニングさせてもユーザーの着座位置がずれにくくなる。このため、ユーザーが再び着座位置を決める手間がかかりにくくなる。
【００１７】
〔５〕前記リクライニング椅子の一形態によれば、前記座フレームのうちの前方の部分が後方の部分に対して上昇するように前記座フレームが所定の位置まで前方に移動した後、前記座フレームが前記土台フレームに対してさらに前方に移動するにつれて、前記座フレームのうちの前方の部分が後方の部分に対して下降するように、前記座フレームに前記回転フレームが接続される。
【００１８】
上記リクライニング椅子によれば、座フレームが土台フレームに対して所定の位置まで前方に移動することにより、ユーザーの着座位置がずれにくくなるような姿勢が形成される。そして、座フレームが土台フレームに対して所定の位置からさらに前方に移動するにつれて、ユーザーが仰向けに寝るような姿勢が形成される。このため、ユーザーが多様な姿勢を取ることができる。
【００１９】
〔６〕前記リクライニング椅子の一形態によれば、前記背フレームが前記土台フレームに対して最も前方に回転した状態を形成しているとき、前記座レールのうちの前記土台フレームに対して前方側の先端部分が前記土台フレームと前記回転フレームとの接続部分よりも前記土台フレームに対して後方の位置を取るように、前記土台フレームに前記回転フレームが接続される。
【００２０】
座レールの先端部分が土台フレームの先端部分よりも土台フレームに対して前方の位置を取る場合、ユーザーがリクライニング椅子に座るための移動、および、ユーザーがリクライニング椅子から離れるための移動が妨げられるおそれがある。上記リクライニング椅子によれば、座レールの先端部分が土台フレームと回転フレームとの接続部分よりも土台フレームに対して後方の位置を取る。すなわち、座レールの先端部分が土台フレームの先端部分よりも土台フレームに対して後方の位置を取る。このため、ユーザーがリクライニング椅子に座るための移動、および、ユーザーがリクライニング椅子から離れるための移動が妨げられにくくなる。
【００２１】
〔７〕前記リクライニング椅子の一形態によれば、前記背フレームが前記土台フレームに対して最も前方に回転した状態を形成しているとき、前記座フレームと前記回転フレームとの接続部分が前記座レールの先端部分よりも前記土台フレームに対して後方の位置を取るように、前記座フレームに前記回転フレームが接続される。
【００２２】
上記リクライニング椅子によれば、背フレームが土台フレームに対して最も前方に回転した状態を形成しているとき、回転フレームが土台フレームから座フレームにかけて背フレーム側に向かって傾斜している状態を形成する。この場合、回転フレームは、土台フレームに対して前方に向かって回転することにより、土台フレームから座フレームにかけて背フレームとは反対側に向かって傾く状態を形成できる。すなわち、座フレームと回転フレームとの接続部分が土台フレームに対して大きく前方に移動する。このため、背フレームが土台フレームに対して最も前方に回転した状態を形成しているときに、回転フレームが土台フレームから座フレームにかけて背フレーム側に向かって傾斜していない構成よりも、座フレームが土台フレームに対してさらに前方に移動できる。すなわち、背フレームが土台フレームに対してさらに前方に移動できる。このため、背もたれをリクライニングさせるために必要な椅子の後方のスペースを一層小さくすることができる。
【００２３】
〔８〕前記リクライニング椅子の一形態によれば、前記背フレームが前記土台フレームに対して最も後方に回転した状態を形成しているとき、前記座フレームと前記回転フレームとの接続部分が、前記座レールの先端部分よりも前記土台フレームに対して前方の位置を取るように、前記座フレームに前記回転フレームが接続される。
【００２４】
座走行具は、座レールに対して前後方向に走行できるように座レールに支持されるため、座レールの範囲内において移動する。上記リクライニング椅子によれば、座フレームと回転フレームとの接続部分が、座レールの先端部分よりも土台フレームに対して前方に移動する。このため、回転フレームに代えて、座フレームと回転フレームとの接続部分に別の座走行具が取り付けられる構成よりも、座レールの長さを変えずに座フレームが土台フレームに対してさらに前方に移動できる。すなわち、背フレームが土台フレームに対してさらに前方に移動できる。このため、背もたれをリクライニングさせるために必要な椅子の後方のスペースを一層小さくすることができる。
【００２５】
〔９〕前記リクライニング椅子の一形態によれば、前記座レールが真直である。
上記リクライニング椅子によれば、座フレームが土台フレームに対して前後方向に移動するとき、座フレームのうちの前方の部分が後方の部分に対して上昇または下降する。このような座フレームのうちの前方の部分および後方の部分の相対的な変化は、一例として、座レールを屈曲させることにより形成することができる。一方、上記リクライニング椅子によれば、回転フレームが土台フレームに対して回転することにより、座フレームのうちの前方の部分を後方の部分に対して上昇または下降させることができるため、座レールを真直に形成できる。このため、座レールの生産性が向上する。
【００２６】
〔１０〕前記リクライニング椅子の一形態によれば、前記土台フレームと前記回転フレームとのなす角が４５°〜１３５°の範囲内を前記回転フレームが回転するように設定される。
【００２７】
ユーザーが座に腰かけるとき、回転フレームがその荷重の力を支持する。上記リクライニング椅子によれば、回転フレームは、回転フレームと土台フレームとのなす角が４５°〜１３５°の範囲内において回転する。このため、回転フレームは、その範囲内を超えて回転する構成よりも上方から受ける力の成分を支持しやすい。このため、ユーザーによりかけられる荷重が回転フレームにより支持されやすくなる。
【００２８】
〔１１〕前記リクライニング椅子の一形態によれば、前記土台フレームに固定され、前記土台フレームに対して前後方向に伸びるように形成される背レールと、前記背レールに対して前後方向に走行できるように前記背レールに支持され、前記背フレームに取り付けられる背走行具とをさらに備える。
【００２９】
上記リクライニング椅子によれば、背フレームの土台フレームに対する前後方向の移動、および、背フレームの土台フレームに対する回転は、背走行具が背レールに対して前後方向に走行することにより支持される。このため、背フレームの土台フレームに対する角度等の変化は、背レールの土台フレームに対する角度、および、背レールの形状の一方または両方を変化させることにより簡単に形成できる。このため、背フレームの製造性が向上する。
【００３０】
〔１２〕前記リクライニング椅子の一形態によれば、前記背フレームに固定され、前記土台フレームに対して前後方向に伸びるように形成される背レールと、前記土台フレームに取り付けられる背走行具とをさらに備え、前記背レールが前記背走行具に対して前後方向に移動できるように前記背走行具に支持される。
【００３１】
上記リクライニング椅子によれば、上記〔１１〕のリクライニング椅子の作用に準じた作用が形成される。このため、上記〔１１〕のリクライニング椅子により得られる効果と同様の効果が得られる。
【００３２】
〔１３〕前記リクライニング椅子の一形態によれば、前記座レールのうちの前記土台フレームに対して前方の部分に形成され、前記座走行具と接触し得る第１の座ストッパーと、前記座レールのうちの前記土台フレームに対して後方の部分に形成され、前記座走行具と接触し得る第２の座ストッパーと、前記背レールのうちの前記土台フレームに対して前方の部分に形成され、前記背走行具と接触し得る第１の背ストッパーと、前記背レールのうちの前記土台フレームに対して後方の部分に形成され、前記背走行具と接触し得る第２の背ストッパーのうちの少なくとも１つのストッパーを備える。
【００３３】
上記リクライニング椅子によれば、座フレームが土台フレームに対して前後方向に移動するとき、座走行具が座ストッパーと接触、または、背走行具が背ストッパーと接触することにより、各走行具が各レールに対する相対的な移動を停止する。このため、各走行具が各レールの範囲内を超えるような移動を形成しにくくなる。このため、各走行具が各レールからはずれる等の状態が形成されにくくなる。
【００３４】
〔１４〕前記リクライニング椅子の一形態によれば、前記土台フレームは、前記座フレームの移動方向である前後方向に伸びるように形成され、前記座フレームの幅方向において間隔を空けて配置される右側の設置フレームおよび左側の設置フレーム、ならびに、前記右側の設置フレームと前記左側の設置フレームとを互いに接続する連結設置フレームを備え、前記右側の設置フレーム、前記左側の設置フレーム、および、前記連結設置フレームのそれぞれは、前記土台フレームのうちの底を構成し、前記回転フレームが、前記座フレームおよび前記設置フレーム、または、前記座フレームおよび前記連結設置フレームを互いに接続する。
【００３５】
上記リクライニング椅子によれば、回転フレームが設置フレームまたは連結設置フレームに接続されている。このため、ユーザーによりかけられる荷重は、回転フレームを介して設置フレームまたは連結設置フレームにより支持される。一方、設置フレームおよび連結設置フレームは、床等の設置面に設置されるため、上方からかかる力を支持しやすい。このため、ユーザーによりかけられる荷重が一層支持されやすくなる。
【００３６】
〔１５〕前記リクライニング椅子の一形態によれば、前記回転フレームが前記設置フレームの前方の部分に接続される。
上記リクライニング椅子によれば、回転フレームが設置フレームの前方の部分以外の部分に接続されている構成よりも、土台フレームと座フレームとの間の空間を広く利用することができる。
【００３７】
〔１６〕前記リクライニング椅子の一形態によれば、前記連結設置フレームが、前記右側の設置フレームの前方の部分と前記左側の設置フレームの前方の部分とを互いに接続し、前記回転フレームが前記座フレームと前記連結設置フレームとを互いに接続する。
【００３８】
上記リクライニング椅子によれば、連結設置フレームが右側の設置フレームの前方の部分以外の部分と左側の設置フレームの前方の部分以外の部分とを互いに接続している構成よりも、土台フレームと座フレームとの間の空間を広く利用することができる。
【００３９】
〔１７〕前記リクライニング椅子の一形態によれば、前記回転フレームと接触することにより、前記回転フレームの回転を規制する第１のストッパー、第２のストッパー、第３のストッパー、および、第４のストッパーのうちの少なくとも１つのストッパーを備え、前記第１のストッパーは、前記連結設置フレームと前記回転フレームとの接続部分の前方側に形成され、前記第２のストッパーは、前記連結設置フレームと前記回転フレームとの接続部分の後方側に形成され、前記第３のストッパーは、前記座フレームと前記回転フレームとの接続部分の前方側に形成され、前記第４のストッパーは、前記座フレームと前記回転フレームとの接続部分の後方側に形成される。
【００４０】
上記リクライニング椅子によれば、座フレームが土台フレームに対して前後方向に移動するとき、回転フレームがストッパーと接触することにより、回転フレームの回転が規制される。このため、回転フレームが土台フレームに対して所定の角度を超えるような回転を形成しにくくなる。このため、ユーザーによりかけられる荷重が回転フレームにより支持されやすい状態が保持されやすくなる。
【００４１】
〔１８〕前記リクライニング椅子の一形態によれば、前記回転フレームと前記ストッパーとが接触するとき、前記座走行具と前記座ストッパーとの間、および、前記背走行具と前記背ストッパーとの間に間隔が形成される。
【００４２】
座走行具と接触する座ストッパー、背走行具と接触する背ストッパー、および、回転フレームと接触するストッパーのそれぞれの位置は、製造時の公差によってばらつくことがある。このため、各走行具と各ストッパー、および、回転フレームとストッパーのそれぞれが同時に接触するように製造する場合、製造時の公差によりそれぞれが同時に接触しないリクライニング椅子が製造されることがある。すなわち、各走行具と各ストッパーとが接触するときに回転フレームとストッパーとの間に間隔が形成されるリクライニング椅子、または、回転フレームとストッパーとが接触するときに各走行具と各ストッパーとの間に間隔が形成されるリクライニング椅子が製造されるおそれがある。このため、製造されるリクライニング椅子の構造にばらつきが発生するおそれがある。
【００４３】
上記リクライニング椅子によれば、回転フレームとストッパーと接触しているとき、各走行具と各ストッパーとの間に間隔が形成されるように製造される。このため、製造時の公差によって各ストッパーの位置にばらつきが生じたとしても、製造されるリクライニング椅子の構造にばらつきが発生しにくくなる。
【００４４】
〔１９〕前記リクライニング椅子の一形態によれば、前記座レールが前記座フレームよりも下方に配置され、前記背レールが前記背フレームよりも下方に配置される。
座レールが座フレームの側方、および、背レールが背フレームの側方に配置される構成によれば、例えば各レールを屈曲させる場合において、各レールがリクライニング椅子を覆う外装から外部に突き出ることがある。上記リクライニング椅子によれば、座レールが座フレームの下方、および、背レールが背フレームの下方に配置されているため、各レールの一部が外部に突き出にくくなる。このため、ユーザーの身体の一部が各レールの一部と接触しにくくなり、ユーザーが不快感を覚えにくくなる。
【００４５】
〔２０〕前記リクライニング椅子の一形態によれば、前記座走行具および前記背走行具の一方または両方が、ピニオンギアにより構成され、前記座レールおよび前記背レールのうちの前記ピニオンギアと対応する一方または両方のレールの内面にラックギアが形成される。
【００４６】
上記リクライニング椅子によれば、座走行具がピニオンギアであって、座レールの内面にラックギアが形成されている場合、座フレームが土台フレームに対して前後方向に移動するとき、座フレームの幅方向において対応するピニオンギアのそれぞれがラックギアと噛み合いながら同じように回転する。このため、座フレームの幅方向においてガタが発生しにくくなる。このため、座フレームの前後方向の移動が滑らかに形成されやすくなる。また、背走行具がピニオンギアであって、背レールの内面にラックギアが形成されている場合においても同様の効果が得られる。
【００４７】
〔２１〕リクライニング椅子の一形態によれば、座の土台を構成する土台フレームと、前記土台フレームに対して前後方向に移動し得る座フレームと、前記土台フレームに対して前後方向に移動しながら前記土台フレームに対して回転できるように前記座フレームに接続される背フレームと、前記座フレームおよび前記背フレームの一方を前記土台フレームに対して前後方向に移動させることにより、前記背フレームを前記土台フレームに対して回転させる駆動部と、前記土台フレームに固定され、前記土台フレームに対して前後方向に伸びるように形成される座レールと、前記座レールに対して前後方向に走行できるように前記座レールに支持され、前記座フレームに取り付けられる座走行具とを備え、前記駆動部が前記背フレームよりも後方の空間に配置される。
【００４８】
上記リクライニング椅子によれば、上記〔１〕のリクライニング椅子の作用に準じた作用が形成される。このため、上記〔１〕のリクライニング椅子により得られる効果と同様の効果が得られる。
【００４９】
また、土台フレームと座フレームとの間の空間に駆動部が配置されているリクライニング椅子によれば、土台フレームと座フレームとの間の空間にオットマンを収納する場合、座の前後方向の長さを長く設定する必要がある。上記リクライニング椅子によれば、駆動部が背フレームよりも後方の空間に配置されているため、座の前後方向の長さを長く設定することなく、土台フレームと座フレームとの間の空間にオットマンを収納するスペースを確保することができる。このため、オットマンを収納できること、および、座の前後方向の長さを短く設定できることから、ユーザーが座に座りやすい。
【００５０】
〔２２〕リクライニング椅子の一形態によれば、座の土台を構成する土台フレームと、前記土台フレームに対して前後方向に移動し得る座フレームと、前記土台フレームに対して前後方向に移動しながら前記土台フレームに対して回転できるように前記座フレームに接続される背フレームと、前記座フレームおよび前記背フレームの一方を前記土台フレームに対して前後方向に移動させることにより、前記背フレームを前記土台フレームに対して回転させる駆動部と、前記座フレームに固定され、前記土台フレームに対して前後方向に伸びるように形成される座レールと、前記土台フレームに取り付けられる座走行具とを備え、前記駆動部が前記背フレームよりも後方の空間に配置され、前記座レールが前記座走行具に対して前後方向に移動できるように前記座走行具に支持される。
【００５１】
上記リクライニング椅子によれば、上記〔２１〕のリクライニング椅子の作用に準じた作用が形成される。このため、上記〔２１〕のリクライニング椅子により得られる効果と同様の効果が得られる。
【００５２】
〔２３〕マッサージ機の一形態によれば、前記〔１〕〜〔２２〕のいずれかに記載のリクライニング椅子を備える。
上記マッサージ機によれば、前記リクライニング椅子により得られる効果と同様の効果が得られる。
【００５３】
（実施の形態１）
図１を参照して、マッサージ機１の構成について説明する。
マッサージ機１は、背もたれ１２をリクライニングさせるリクライニング椅子１０を備える。リクライニング椅子１０は、座１１、座１１の後方に設けられた背もたれ１２、座１１の右側および左側に設けられた肘掛け１３、および、座１１の前方に設けられたオットマン１４を備える。
【００５４】
背もたれ１２は、座１１のうちの上面である座面１１Ａとの接続部分を軸として回転できるように座面１１Ａに取り付けられている。座面１１Ａは、前後方向に移動できるように座１１に支持されている。また、背もたれ１２は、この座面１１Ａの前後方向の移動と連動して前後方向に移動できるように座面１１Ａに支持され、その前後方向の移動にともないリクライニングする。オットマン１４は、座面１１Ａとの接続部分を軸として回転できるように座面１１Ａに取り付けられている。
【００５５】
マッサージ機１は、背もたれ１２の内部、および、オットマン１４の内部にマッサージ機構（図示略）を備えている。背もたれ１２の内部には、例えば、ローラー式マッサージ機構が備えられている。また、オットマン１４の内部には、例えば、エアー式マッサージ機構が備えられている。これらのマッサージ機構の駆動にともない、ユーザーの身体がマッサージされる。
【００５６】
図２を参照して、リクライニング椅子１０の内部構成について説明する。なお、図２〜図３Ｃは、肘掛け１３およびオットマン１４を構成しているフレームを省略している。
リクライニング椅子１０は、座１１の土台を構成している土台フレーム２０、座１１を構成している座フレーム３０、土台フレーム２０と座フレーム３０とを互いに接続している接続フレームである回転フレーム４０、および、背もたれ１２を構成している背フレーム５０を備える。また、リクライニング椅子１０は、背もたれ１２をリクライニングさせる駆動部である電動伸縮機構６０をさらに備える。
【００５７】
土台フレーム２０は、土台フレーム２０の幅方向の中心線に対して線対称の関係である。土台フレーム２０は、座フレーム３０よりも下方に配置されている。土台フレーム２０は、座フレーム３０の移動方向である前後方向に伸びるように形成され、床等の設置面に設置される設置フレーム２１、および、設置フレーム２１に取り付けられ、座フレーム３０側に向かって伸びている支持フレーム２３を備える。
【００５８】
設置フレーム２１は、座フレーム３０の幅方向において間隔を空けて配置されている右側の設置フレーム２１、および、左側の設置フレーム２１を含む。各設置フレーム２１は、連結フレーム２４Ａ，２４Ｂにより互いに接続されている。連結フレーム２４Ａは、座フレーム３０の前後方向において連結フレーム２４Ｂよりも前方に配置されている。
【００５９】
各設置フレーム２１は、支持フレーム２３として、前方支持フレーム２３Ａ、中間支持フレーム２３Ｂ、および、後方支持フレーム２３Ｃがそれぞれ取り付けられている。前方支持フレーム２３Ａは、各設置フレーム２１のうちの座フレーム３０の移動方向の前方側である先端部分に取り付けられている。中間支持フレーム２３Ｂは、各設置フレーム２１のうちの前方支持フレーム２３Ａよりも後方であって、各設置フレーム２１の長手方向において連結フレーム２４Ａと対応する位置に取り付けられている。後方支持フレーム２３Ｃは、各設置フレーム２１のうちの中間支持フレーム２３Ｂよりも後方に取り付けられている。
【００６０】
土台フレーム２０は、右側の設置フレーム２１に取り付けられている前方支持フレーム２３Ａの下端と、左側の設置フレーム２１に取り付けられている前方支持フレーム２３Ａの下端とを互いに接続している連結設置フレーム２２をさらに備える。連結設置フレーム２２は、各設置フレーム２１よりも下方に配置され、底面の全部が設置面に設置される。
【００６１】
座レール２５が、座フレーム３０よりも下方に配置され、前方支持フレーム２３Ａ、中間支持フレーム２３Ｂ、および、後方支持フレーム２３Ｃのうちのそれぞれの上端を跨ぐように固定されている。座レール２５は、座フレーム３０の移動方向である後方側から前方側にかけて上方に向かって伸びるように形成されている。座レール２５は、座フレーム３０の前後方向の移動を案内する役割を持つ。また、座レール２５は、真直である。
【００６２】
背レール２６が、背フレーム５０よりも下方に配置されている。背レール２６は、後方支持フレーム２３Ｃに固定され、背フレーム５０側に向かって伸びるように形成されている。背レール２６は、背フレーム５０の前後方向の移動を案内する役割を持つ。また、背レール２６は、真直である。
【００６３】
座フレーム３０は、座フレーム３０の幅方向の中心線に対して線対称の関係である。座フレーム３０は、座フレーム３０の幅方向において座レール２５側のフレームであるサイドフレーム３１を備える。サイドフレーム３１は、座フレーム３０の幅方向において間隔を空けて配置されている右側のサイドフレーム３１、および、左側のサイドフレーム３１を含む。各サイドフレーム３１は、前側フレーム３２により互いに接続されている。前側フレーム３２は、各サイドフレーム３１のうちの座フレーム３０の移動方向の前方側である先端部分を互いに接続している。また、各サイドフレーム３１のうちの座フレーム３０の移動方向の後方側には、背フレーム５０と接続される接続部３５が形成されている。
【００６４】
各サイドフレーム３１の底面には、座走行具３４（図３Ａ参照）を支持するための走行具支持部３３が形成されている。走行具支持部３３は、座フレーム３０が土台フレーム２０および座レール２５に対して相対的に回転できるように座走行具３４が取り付けられている。
【００６５】
座走行具３４の形状の一例は、直方体である。座走行具３４は、座レール２５に対して前後方向に走行できるように座レール２５の内面である走行面２５Ａに支持されている。このため、座フレーム３０が前後方向に移動するとき、座走行具３４が座レール２５の走行面２５Ａに沿って走行する。また、座レール２５のうちの土台フレーム２０に対して後方の部分である後方支持フレーム２３Ｃ側の端部には、座走行具３４が座レール２５に対して走行できないようにするための座ストッパー（図示略）が形成されている。座走行具３４と座ストッパーとが接触するとき、座走行具３４が座レール２５に対して停止し、座フレーム３０の前後方向の移動が停止する。
【００６６】
各サイドフレーム３１は、掛け具３６が取り付けられている。この掛け具３６は、座面１１Ａ（図１参照）の下方に設けられる弾性体３７が掛けられる。弾性体３７の下方には、弾性体３７の変形を規制する規制フレーム３８が取り付けられている。この規制フレーム３８は、右側のサイドフレーム３１に形成されている走行具支持部３３と、左側のサイドフレーム３１に形成されている走行具支持部３３とを互いに接続している。また、連結フレーム３９が、前側フレーム３２と規制フレーム３８とを互いに接続している。
【００６７】
背フレーム５０は、背フレーム５０の幅方向の中心線に対して線対称の関係である。背フレーム５０は、背フレーム５０の幅方向において背レール２６側のフレームであるサイドフレーム５１を備える。サイドフレーム５１は、背フレーム５０の幅方向において間隔を空けて配置されている右側のサイドフレーム５１、および、左側のサイドフレーム５１を含む。各サイドフレーム５１は、上側フレーム５２により互いに接続されている。上側フレーム５２は、各サイドフレーム５１の上端を互いに接続している。また、各サイドフレーム５１のうちの下方部分には、座フレーム３０の接続部３５と互いに接続される接続部５５が形成されている。なお、接続部３５と接続部５５とを互いに接続している接続部分は、背フレーム５０が回転するための座フレーム３０との接続部分である。
【００６８】
この接続部分および座走行具３４を結ぶ線分と、座レール２５の長手方向とのなす角が鈍角を形成している。このなす角は、座フレーム３０が前後方向に移動するとき、鈍角から鋭角に変化しないように構成されている。このため、座フレーム３０および背フレーム５０が滑らかに連動して移動できる。
【００６９】
各サイドフレーム５１の背面には、背走行具５４（図３Ａ参照）を支持するための走行具支持部５３が形成されている。走行具支持部５３は、背フレーム５０が土台フレーム２０および背レール２６に対して相対的に回転できるように背走行具５４が取り付けられている。
【００７０】
背走行具５４の形状の一例は、直方体である。背走行具５４は、背レール２６に対して前後方向に走行できるように背レール２６の内面である走行面２６Ａ（図３Ａ参照）に支持されている。このため、背フレーム５０が前後方向に移動するとき、背走行具５４が背レール２６の走行面２６Ａに沿って走行する。また、背レール２６のうちの土台フレーム２０に対して前方の部分である後方支持フレーム２３Ｃ側の端部には、背走行具５４が背レール２６に対して走行できないようにするための背ストッパー（図示略）が形成されている。背走行具５４と背ストッパーとが接触するとき、背走行具５４が背レール２６に対して停止し、背フレーム５０の前後方向の移動が停止する。
【００７１】
回転フレーム４０は、座フレーム３０の前後方向において座走行具３４よりも前方に配置されている。回転フレーム４０は、背フレーム５０が土台フレーム２０に対して最も前方に回転した状態を形成しているとき、土台フレーム２０から座フレーム３０にかけて背フレーム５０側に向かって傾斜している。回転フレーム４０は、座フレーム３０の幅方向において間隔を空けて配置されている右側の回転フレーム４０、および、左側の回転フレーム４０を含む。
【００７２】
右側の回転フレーム４０は、土台フレーム２０および座フレーム３０に対して前後方向に回転できるように連結設置フレーム２２と右側のサイドフレーム３１の先端部分とを互いに接続している。左側の回転フレーム４０は、土台フレーム２０および座フレーム３０に対して前後方向に回転できるように連結設置フレーム２２と左側のサイドフレーム３１の先端部分とを互いに接続している。このため、座フレーム３０が前方に移動するとき、各回転フレーム４０が土台フレーム２０に対して前方に向かって回転する。また、各回転フレーム４０は、連結設置フレーム２２とのなす角が４５°〜１３５°の範囲内を回転するように設定されている。なお、各回転フレーム４０と連結設置フレーム２２とのなす角は、各回転フレーム４０と設置面とのなす角と実質的に同じである。
【００７３】
各回転フレーム４０と連結設置フレーム２２との接続部分には、各回転フレーム４０を連結設置フレーム２２に対して相対的に回転させるための第１の回転支点部４１が形成されている。第１の回転支点部４１の後方側である背もたれ５０側には、回転フレーム４０が土台フレーム２０に対して後方に向かう回転を規制するためのストッパー（図示略）が形成されている。このストッパーと連結設置フレーム２２とのなす角は、回転フレーム４０が回転する範囲内において、回転フレーム４０が土台フレーム２０対して後方に向かって最大に回転したときに、回転フレーム４０とストッパーとの間に空間が形成されないように設定される。回転フレーム４０がこのストッパーと接触するとき、回転フレーム４０が土台フレーム２０に対して後方に向かう回転が規制され、座フレーム３０の前後方向の移動が停止する。また、回転フレーム４０がこのストッパーと接触しているとき、座走行具３４と座ストッパーとの間、および、背走行具５４と背ストッパーとの間に間隔が空いている。
【００７４】
各回転フレーム４０と各サイドフレーム３１との接続部分には、各回転フレーム４０を座フレーム３０に対して相対的に回転させるための第２の回転支点部４２が形成されている。第２の回転支点部４２の後方側である背もたれ５０側には、回転フレーム４０が土台フレーム２０に対して前方に向かう回転を規制するためのストッパー（図示略）が形成されている。このストッパーとサイドフレーム３１とのなす角は、回転フレーム４０が回転する範囲内において、回転フレーム４０が土台フレーム２０対して前方に向かって最大に回転したときに、回転フレーム４０とストッパーとの間に空間が形成されないように設定される。回転フレーム４０がこのストッパーと接触するとき、回転フレーム４０が土台フレームに対して前方に向かう回転が規制され、座フレーム３０の前後方向の移動が停止する。また、回転フレーム４０がこのストッパーと接触しているとき、座走行具３４と座ストッパーとの間、および、背走行具５４と背ストッパーとの間に間隔が空いている。
【００７５】
電動伸縮機構６０は、土台フレーム２０と座フレーム３０との間の空間に配置されている。電動伸縮機構６０は、土台フレーム２０および座フレーム３０に対して相対的に回転できるように連結フレーム２４Ａと前側フレーム３２とを互いに接続している。また、電動伸縮機構６０は、その伸展方向と座レール２５の長手方向とのなす角が４５°以下を保持するように伸展する。なお、電動伸縮機構６０は、背フレーム５０が土台フレーム２０に対して最も前方に回転した状態のとき、最も収縮した状態を形成している。
【００７６】
電動伸縮機構６０は、電気モーター６１を備えている。また、電動伸縮機構６０の一例は、ボールねじである。この場合、電気モーター６１の出力軸の回転がウォームギア等の歯車を介してボールねじに伝達され、ねじ軸が回転することにともないナットの位置が変位することにより電動伸縮機構６０が伸縮する。
【００７７】
電動伸縮機構６０は、前側フレーム３２に向かって伸展することにより、座フレーム３０を前方に移動させる。すなわち、電動伸縮機構６０が伸展することにともない、座フレーム３０および背フレーム５０が連動して土台フレーム２０に対して前方に移動するとともに、背フレーム５０が座フレーム３０との接続部分を軸として回転する。
【００７８】
図３Ａ〜図３Ｃを参照して、リクライニング椅子１０の動作について説明する。なお、図３Ａ〜図３Ｃは、リクライニング椅子１０の幅方向において左側に配置される構成要素の一部を省略している。
【００７９】
図３Ａに示すように、リクライニング椅子１０は、電動伸縮機構６０が最も収縮し、背フレーム５０が土台フレーム２０に対して最も前方に回転した状態である第１状態を形成している。この第１状態によれば、座レール２５のうちの土台フレーム２０に対して前方側である先端部分と、回転フレーム４０と連結設置フレーム２２との接続部分とが、土台フレームの前後方向において概ね同じ位置を取る。また、回転フレーム４０とサイドフレーム３１との接続部分が、座レール２５の先端部分よりも土台フレーム２０に対して後方の位置を取る。
【００８０】
第１状態から電動伸縮機構６０が伸展することにより、座フレーム３０が土台フレーム２０に対して前方に移動するとき、座走行具３４が座レール２５に対して前方に向かって走行し、回転フレーム４０が土台フレーム２０に対して前方に向かって回転する。そして、背フレーム５０は、座フレーム３０の移動と連動して、座フレーム３０との接続部分を前方に移動させながら座フレーム３０との接続部分を軸として回転する。
【００８１】
図３Ｂに示すように、リクライニング椅子１０は、電動伸縮機構６０が第１状態から伸展し、背フレーム５０が土台フレーム２０に対して第１状態から後方に回転した状態である第２状態を形成している。第１状態から第２状態に遷移するとき、座フレーム３０が土台フレーム２０に対して前方に移動するにつれて、座フレーム３０のうちの前方の部分が後方の部分に対して上昇する。
【００８２】
図３Ｃに示すように、リクライニング椅子１０は、電動伸縮機構６０が最も伸展し、背フレーム５０が土台フレーム２０に対して最も後方に回転した状態である第３状態を形成している。第２状態から第３状態に遷移するとき、座フレーム３０が土台フレーム２０に対してさらに前方に移動するにつれて、座フレーム３０のうちの前方の部分が後方の部分に対して下降する。この第３状態によれば、回転フレーム４０とサイドフレーム３１との接続部分は、座レール２５の先端部分よりも土台フレーム２０に対して前方の位置を取る。また、座レール２５の先端部分と座走行具３４との間に間隔が形成されている。
【００８３】
リクライニング椅子１０によれば、以下の効果が得られる。
（１）リクライニング椅子１０によれば、座フレーム３０および背フレーム５０が連動して土台フレーム２０に対して前方に移動するとき、座走行具３４が座レール２５に対して前方に走行し、回転フレーム４０が土台フレーム２０に対して前方に回転する。そして、背フレーム５０は、座フレーム３０との接続部分を前方に向かって移動させながら座フレーム３０との接続部分を軸として回転する。このため、背フレーム５０の回転にともない、背フレーム５０が土台フレーム２０に対して後方に移動しにくくなる。このため、背もたれ１２をリクライニングさせるために必要な椅子の後方のスペースを小さくすることができる。
【００８４】
（２）リクライニング椅子１０を使用するユーザーは、一般に、座１１に腰かける位置である着座位置を決めた後に、背もたれ１２をリクライニングする。リクライニング椅子１０によれば、座フレーム３０が土台フレーム２０に対して前方に移動するにつれて、座フレーム３０のうちの前方の部分が後方の部分に対して上昇する。このため、ユーザーの大腿が臀部よりも相対的に上方に向かって移動する。このため、ユーザーの臀部が前方に移動しにくい状態が形成される。このため、背もたれ１２をリクライニングさせてもユーザーの着座位置がずれにくくなる。このため、ユーザーが再び着座位置を決める手間がかかりにくくなる。
【００８５】
（３）リクライニング椅子１０によれば、座フレーム３０が土台フレーム２０に対して所定の位置まで前方に移動することにともない、座フレーム３０のうちの前方の部分が後方の部分に対して上昇する。そして、座フレーム３０が土台フレーム２０に対して所定の位置からさらに前方に移動するにつれて、座フレーム３０のうちの前方の部分が後方の部分に対して下降する。このため、ユーザーが仰向けに寝るような姿勢が形成される。このため、ユーザーが多様な姿勢を取ることができる。
【００８６】
（４）背フレーム５０が土台フレーム２０に対して最も前方に回転した状態のときに、座レール２５の先端部分が土台フレーム２０の先端部分よりも土台フレーム２０に対して前方の位置を取る場合、ユーザーがリクライニング椅子１０に座るための移動、および、ユーザーがリクライニング椅子１０から離れるための移動が妨げられるおそれがある。リクライニング椅子１０によれば、座レール２５の先端部分と、連結設置フレーム２２と回転フレーム４０との接続部分とが、土台フレーム２０の前後方向において概ね同じ位置を取る。すなわち、座レール２５の先端部分と土台フレーム２０の先端部分とが土台フレーム２０の前後方向において概ね同じ位置を取る。このため、ユーザーがリクライニング椅子１０に座るための移動、および、ユーザーがリクライニング椅子１０から離れるための移動が妨げられにくくなる。
【００８７】
（５）リクライニング椅子１０によれば、背フレーム５０が土台フレーム２０に対して最も前方に回転した状態を形成しているとき、回転フレーム４０が土台フレーム２０から座フレーム３０にかけて背フレーム５０側に向かって傾斜している。この場合、回転フレーム４０は、土台フレーム２０に対して前方に向かって回転することにより、土台フレーム２０から座フレーム３０にかけて背フレーム５０とは反対側に向かって傾く状態を形成できる。すなわち、回転フレーム４０とサイドフレーム３１との接続部分が土台フレーム２０に対して大きく前方に移動する。このため、背フレーム５０が土台フレーム２０に対して最も前方に回転した状態を形成しているとき、回転フレーム４０が土台フレーム２０から座フレーム３０にかけて背フレーム５０側に向かって傾斜していない構成よりも、座フレーム３０が土台フレーム２０に対してさらに前方に移動する。すなわち、背フレーム５０が土台フレーム２０に対してさらに前方に移動できる。このため、背もたれ１２をリクライニングさせるために必要な椅子の後方のスペースを一層小さくすることができる。
【００８８】
（６）座走行具３４は、座レール２５に対して前後方向に走行できるように走行面２５Ａに支持されるため、座レール２５の範囲内において移動する。リクライニング椅子１０によれば、背フレーム５０が土台フレーム２０に対して最も後方に回転した状態のとき、回転フレーム４０とサイドフレーム３１との接続部分が座レール２５の先端部分よりも土台フレーム２０に対して前方の位置を取る。すなわち、回転フレーム４０とサイドフレーム３１との接続部分が、座レール２５の先端部分よりも土台フレーム２０に対して前方に移動する。このため、回転フレーム４０に代えて、サイドフレーム３１と回転フレーム４０との接続部分に別の座走行具が取り付けられる構成よりも、座レール２５の長さを変えずに座フレーム３０が土台フレーム２０に対してさらに前方に移動できる。すなわち、背フレーム５０が土台フレーム２０に対してさらに前方に移動できる。このため、背もたれ１２をリクライニングさせるために必要な椅子の後方のスペースを一層小さくすることができる。
【００８９】
また、リクライニング椅子１０によれば、座レール２５の長さを変えないため、座レール２５がリクライニング椅子１０を覆う外装から外部に突き出にくい。このため、背フレーム５０が土台フレーム２０に対して最も後方に回転した状態のときのリクライニング椅子１０の全体の前後方向の長さが好ましい長さに設定できる。このため、リクライニング椅子１０の意匠性の向上に貢献できる。
【００９０】
（７）リクライニング椅子１０によれば、座フレーム３０が土台フレーム２０に対して前後方向に移動するとき、座フレーム３０のうちの前方の部分が後方の部分に対して上昇または下降する。このような座フレーム３０のうちの前方の部分および後方の部分の相対的な変化は、一例として、座レール２５を屈曲させることにより形成することができる。一方、リクライニング椅子１０によれば、回転フレーム４０が土台フレーム２０に対して回転することにより、座フレーム３０のうちの前方の部分を後方の部分に対して上昇または下降させることができるため、座レール２５を真直に形成できる。このため、座レール２５の生産性が向上する。
【００９１】
（８）ユーザーが座１１に腰かけるとき、回転フレーム４０がその荷重の力を支持する。リクライニング椅子１０によれば、回転フレーム４０は、回転フレーム４０と連結設置フレーム２２とのなす角が４５°〜１３５°の範囲内において回転する。このため、回転フレーム４０は、その範囲内を超えて回転する構成よりも上方から受ける力の成分を支持しやすい。このため、ユーザーによりかけられる荷重が回転フレーム４０により支持されやすくなる。
【００９２】
（９）リクライニング椅子１０によれば、背フレーム５０の土台フレーム２０に対する前後方向の移動、および、背フレーム５０の土台フレーム２０に対する回転は、背走行具５４が背レール２６に対して前後方向に走行することにより支持される。このため、背フレーム５０の土台フレーム２０に対する角度等の変化は、背レール２６の土台フレーム２０に対する角度、および、背レール２６の形状の一方または両方を変化させることにより簡単に形成できる。このため、背フレーム５０の製造性が向上する。
【００９３】
（１０）リクライニング椅子１０によれば、座レール２５のうちの土台フレーム２０に対して後方の部分に、座走行具３４が座レール２５に対して走行できないようにするための座ストッパーが形成されている。また、背レール２６のうちの土台フレーム２０に対して前方の部分に、背走行具５４が背レール２６に対して走行できないようにするための背ストッパーが形成されている。このため、座フレーム３０が土台フレーム２０に対して前後方向に移動するとき、座走行具３４が座ストッパーと接触、または、背走行具５４が背ストッパーと接触することにより、各走行具３４，５４が各レール２５，２６に対する移動を停止する。このため、各走行具３４，５４が各レール２５，２６の範囲内を超えるような移動を形成しにくくなる。このため、各走行具３４，５４が各レール２５，２６からはずれる等の状態が形成されにくくなる。
【００９４】
（１１）リクライニング椅子１０によれば、回転フレーム４０が連結設置フレーム２２に接続されている。このため、ユーザーによりかけられる荷重は、回転フレーム４０を介して連結設置フレーム２２により支持される。一方、連結設置フレーム２２は、底面の全部が設置面に設置されるため、上方からかかる力を支持しやすい。このため、ユーザーによりかけられる荷重が一層支持されやすくなる。
【００９５】
（１２）リクライニング椅子１０によれば、第１の回転支点部４１の後方側に、回転フレーム４０の土台フレーム２０に対して後方に向かう回転を規制するためのストッパーが形成されている。また、第２の回転支点部４２の後方側に、回転フレーム４０の土台フレーム２０に対して前方に向かう回転を規制するためのストッパーが形成されている。このため、座フレーム３０が土台フレーム２０に対して前後方向に移動するとき、回転フレーム４０がストッパーと接触することにより、回転フレーム４０の回転が規制される。このため、回転フレーム４０が土台フレーム２０に対して所定の角度を超えるような回転を形成しにくくなる。このため、ユーザーによりかけられる荷重が回転フレーム４０により支持されやすい状態が保持されやすくなる。
【００９６】
また、ストッパーが回転フレーム４０の回転を規制するため、製造時において回転フレーム４０の位置および角度の位置決めとしてストッパーを利用することができる。このため、リクライニング椅子１０の製造性が向上する。
【００９７】
（１３）座走行具３４と接触する座ストッパー、背走行具５４と接触する背ストッパー、および、回転フレーム４０と接触するストッパーのそれぞれの位置は、製造時の公差によってばらつくことがある。このため、各走行具３４，５４と各ストッパー、および、回転フレーム４０とストッパーのそれぞれが同時に接触するように製造する場合、製造時の公差によりそれぞれが同時に接触しないリクライニング椅子１０が製造されることがある。すなわち、各走行具３４，５４と各ストッパーとが接触するときに回転フレーム４０とストッパーとの間に間隔が形成されるリクライニング椅子１０、または、回転フレーム４０とストッパーとが接触するときに各走行具３４，５４と各ストッパーとの間に間隔が形成されるリクライニング椅子１０が製造されるおそれがある。このため、製造されるリクライニング椅子１０の構造にばらつきが発生するおそれがある。
【００９８】
リクライニング椅子１０によれば、回転フレーム４０がストッパーと接触しているとき、座走行具３４と座ストッパーとの間、および、背走行具５４と背ストッパーとの間に間隔が形成されるように製造される。このため、製造時の公差によって各ストッパーの位置にばらつきが生じたとしても、製造されるリクライニング椅子１０の構造にばらつきが発生しにくくなる。
【００９９】
また、このリクライニング椅子１０によれば、回転フレーム４０とストッパーとが接触し、そのストッパーが破損等した後に、各走行具３４，５４と各ストッパーとが接触する。このため、各走行具３４，５４が各レール２５，２６からはずれる等の状態が一層形成されにくくなる。
【０１００】
（１４）座レール２５が座フレーム３０の側方、および、背レール２６が背フレーム５０の側方に配置される構成によれば、例えば各レール２５，２６を屈曲させる場合において、各レール２５，２６がリクライニング椅子１０を覆う外装から外部に突き出ることがある。リクライニング椅子１０によれば、座レール２５が座フレーム３０の下方、および、背レール２６が背フレーム５０の下方に配置されている。このため、各レール２５，２６の一部が外部に突き出にくくなる。このため、ユーザーの身体の一部が各レール２５，２６の一部と接触しにくくなり、ユーザーが不快感を覚えにくくなる。また、リクライニング椅子１０の意匠性の向上に貢献できる。
【０１０１】
（１５）リクライニング椅子１０によれば、電動伸縮機構６０は、土台フレーム２０と座フレーム３０との間の空間に配置され、前側フレーム３２に向かって伸展できるように連結フレーム２４Ａと前側フレーム３２とを互いに接続している。この場合、電動伸縮機構６０の伸展方向と座レール２５の長手方向とのなす角が小さいほど、電動伸縮機構６０が座フレーム３０に与える力の成分が伝達されやすい。このため、電動伸縮機構６０の力の伝達効率の向上に貢献できる。
【０１０２】
（１６）座走行具３４が座レール２５の走行面２５Ａに沿って走行する場合、座走行具３４と走行面２５Ａとの間に摩擦が発生する。この摩擦は、ユーザーの体重が重いほど発生しやすくなる。また、この摩擦が大きいほど、座フレーム３０の前後方向の移動が滑らかに形成されにくくなる。
【０１０３】
リクライニング椅子１０によれば、座走行具３４および回転フレーム４０により、ユーザーによりかけられる荷重を支持している。このため。座走行具３４のみによりユーザーの荷重を支持する構成よりも、摩擦が発生しにくくなる。このため、座フレーム３０の前後方向の移動が滑らかに形成されやすくなる。
【０１０４】
（１７）リクライニング椅子１０によれば、座走行具３４および背走行具５４の形状が直方体である。このため、各走行具３４，５４の形状が回転体である場合よりも、各走行具３４，５４と各走行面２５Ａ，２６Ａとの接触面積が大きい。このため、ユーザーによりかけられる荷重が支持されやすい。
【０１０５】
（実施の形態２）
実施の形態２のリクライニング椅子１０は、以下に説明する点において実施の形態１のリクライニング椅子１０と相違し、その他の点において実施の形態１のリクライニング椅子１０と実質的に同じ構成を備えている。なお、実施の形態２のリクライニング椅子１０の説明は、実施の形態１のリクライニング椅子１０と共通する構成に同一の符号を付し、その構成の説明の一部または全部を省略している。
【０１０６】
図４Ａに示すように、座レール１２５が、座フレーム３０よりも下方に配置され、前方支持フレーム２３Ａ、中間支持フレーム２３Ｂ、および、後方支持フレーム２３Ｃのうちのそれぞれの上端を跨ぐように固定されている。座レール１２５は、座フレーム３０の移動方向である後方側から前方側にかけて、第１座レール１２５Ａ、第２座レール１２５Ｂ、および、第３座レール１２５Ｃが連続して形成されている。
【０１０７】
第１座レール１２５Ａは、座フレーム３０の移動方向である後方側から前方側にかけて下方に向かって伸びるように形成されている。第２座レール１２５Ｂは、座フレーム３０の移動方向である後方側から前方側にかけて上方に向かって伸びるように形成されている。第３座レール１２５Ｃは、第２座レール１２５Ｂよりも土台フレーム２０に対する傾きが小さくなるように、座フレーム３０の移動方向である後方側から前方側にかけて上方に向かって伸びるように形成されている。第１座レール１２５Ａと第２座レール１２５Ｂとの接続部分、および、第２座レール１２５Ｂと第３座レール１２５Ｃとの接続部分は、それぞれ緩やかに湾曲している。なお、座レール１２５に対して走行する座走行具３４の形状の一例は、座レール１２５に対して相対的に回転できる回転体である。
【０１０８】
図４Ａ〜図４Ｃを参照して、リクライニング椅子１０の動作について説明する。なお、図４Ａ〜図４Ｃは、リクライニング椅子１０の幅方向において左側に配置される構成要素の一部を省略している。
【０１０９】
図４Ａに示すように、リクライニング椅子１０は、電動伸縮機構６０が最も収縮し、背フレーム５０が土台フレーム２０に対して最も前方に回転した状態である第１状態を形成している。
【０１１０】
図４Ｂに示すように、リクライニング椅子１０は、電動伸縮機構６０が第１状態から伸展し、背フレーム５０が土台フレーム２０に対して第１状態から後方に回転した状態である第２状態を形成している。第１状態から第２状態に遷移するとき、座フレーム３０が土台フレーム２０に対して前方に移動するにつれて、座フレーム３０のうちの前方の部分が後方の部分に対して上昇する。この第２状態によれば、回転フレーム４０が連結設置フレーム２２に対して最も立ち上がっている状態に近く、座走行具３４が座レール１２５上において最も下方である第１座レール１２５Ａと第２座レール１２５Ｂとの接続部分に配置される状態に近い状態が形成される。このため、座フレーム３０の土台フレーム２０に対する傾きが一層大きくなる。このため、背もたれをリクライニングさせてもユーザーの着座位置が一層前方にずれにくくなる。
【０１１１】
図４Ｃに示すように、リクライニング椅子１０は、電動伸縮機構６０が最も伸展し、背フレーム５０が土台フレーム２０に対して最も後方に回転した状態である第３状態を形成している。第２状態から第３状態に遷移するとき、座フレーム３０が土台フレーム２０に対してさらに前方に移動するにつれて、座フレーム３０のうちの前方の部分が後方の部分に対して下降する。
【０１１２】
実施の形態２のリクライニング椅子１０によれば、実施の形態１のリクライニング椅子１０により得られる（１）〜（６）、および、（８）〜（１６）の効果に準じた効果が得られる。
【０１１３】
（変形例）
本発明の一形態に従うリクライニング椅子が取り得る具体的な形態は、上記各実施の形態に例示された形態に限定されない。本発明の一形態に従うリクライニング椅子は、本発明の目的が達成される範囲において、上記各実施の形態とは異なる各種の形態を取り得る。以下に示される上記各実施の形態の変形例は、本発明の一形態に従うリクライニング椅子が取り得る各種の形態の一例である。
【０１１４】
・実施の形態１の変形例のリクライニング椅子１０によれば、図５に示すように、右側の回転フレーム４０と左側の回転フレーム４０とを互いに接続している回転連結フレーム（図示略）を備える。また、電動伸縮機構６０は、土台フレーム２０および回転連結フレームに対して相対的に回転できるように連結フレーム２４Ａ（図２参照）と回転連結フレームとを互いに接続する。
【０１１５】
電動伸縮機構６０は、回転連結フレームに向かって伸展し、各回転フレーム４０を前方に向かって回転させる。すなわち、電動伸縮機構６０が伸展することにより、各回転フレーム４０が同じように回転し、座フレーム３０および背フレーム５０が連動して土台フレーム２０に対して前方に移動するとともに、背フレーム５０が座フレーム３０との接続部分を軸として回転する。このため、この変形例のリクライニング椅子１０によれば、背もたれ１２をリクライニングさせるために必要な椅子の後方のスペースを小さくすることができる。
【０１１６】
また、この変形例のリクライニング椅子１０によれば、電動伸縮機構６０の伸展にともない、各回転フレーム４０が同じように回転するため、座フレーム３０の幅方向においてガタが発生しにくくなる。このため、座フレーム３０の前後方向の移動が滑らかに形成されやすくなる。
【０１１７】
・実施の形態１の変形例のリクライニング椅子１０によれば、図６に示すように、電動伸縮機構６０が土台フレーム２０と座フレーム３０との間の空間に配置される構成に代えて、背フレーム５０よりも後方の空間に配置される。この電動伸縮機構６０は、土台フレーム２０および背フレーム５０に対して相対的に回転できるように連結フレーム２４Ｂと背フレーム５０の背面に形成されている支持フレーム５６とを互いに接続する。また、電動伸縮機構６０は、その伸展方向と背レール２６の長手方向とのなす角が４５°以下を保持するように伸展する。なお、電動伸縮機構６０は、背フレーム５０が土台フレーム２０に対して最も前方に回転した状態のとき、土台フレーム２０に向かって最も伸展した状態を形成する。
【０１１８】
電動伸縮機構６０は、収縮することにより、背フレーム５０を前方に移動させる。すなわち、電動伸縮機構６０が収縮することにともない、座フレーム３０および背フレーム５０が連動して土台フレーム２０に対して前方に移動するとともに、背フレーム５０が座フレーム３０との接続部分を軸として回転する。このため、この変形例のリクライニング椅子１０によれば、背もたれ１２をリクライニングさせるために必要な椅子の後方のスペースを小さくすることができる。
【０１１９】
また、この変形例のリクライニング椅子１０によれば、電動伸縮機構６０が背フレーム５０よりも後方の空間に配置される。このため、電動伸縮機構６０が土台フレーム２０と座フレーム３０との間の空間に配置される構成と比較して、座１１の前後方向の長さを短く設定でき、土台フレーム２０と座フレーム３０との間の空間にオットマン１４を収納するスペースを確保することができる。このため、オットマン１４を収納できること、および、座１１の前後方向の長さを短くできることから、ユーザーが座１１に座りやすい。
【０１２０】
・実施の形態１の変形例のリクライニング椅子１０によれば、図７に示すように、土台フレーム２０と座フレーム３０とを互いに接続している回転フレーム４０に代えて、座フレーム３０と別の内部機構とを互いに接続する回転フレーム４０Ａを備える。別の内部機構の一例は、肘掛け（図１参照）を構成している肘掛けフレーム（図示略）である。
【０１２１】
この回転フレーム４０Ａは、座フレーム３０の前後方向において座走行具３４よりも後方に配置される。また、回転フレーム４０Ａは、背フレーム５０が土台フレーム２０に対して最も前方に回転した状態を形成するとき、肘掛けフレームから座フレーム３０にかけて背フレーム５０側に向かって傾斜した状態を形成する。なお、回転フレーム４０Ａは、座フレーム３０の幅方向において間隔を空けて配置されている右側の回転フレーム４０Ａ、および、左側の回転フレーム４０Ａを含む。
【０１２２】
右側の回転フレーム４０Ａおよび左側の回転フレーム４０Ａは、座フレーム３０および肘掛けフレームに対して前後方向に回転できるようにサイドフレーム３１の後方の部分と肘掛けフレームとを互いに接続する。このため、座フレーム３０が前方に移動するとき、各回転フレーム４０Ａが前方に向かって回転する。なお、各回転フレーム４０Ａとサイドフレーム３１との接続部分には、各回転フレーム４０Ａを座フレーム３０に対して相対的に回転させるための回転支点部４３が形成される。
【０１２３】
この変形例のリクライニング椅子１０によれば、電動伸縮機構６０が前側フレーム３２に向かって伸展することにより、座フレーム３０および背フレーム５０が連動して土台フレーム２０に対して前方に移動するとともに、背フレーム５０が座フレーム３０との接続部分を軸として回転する。このため、背もたれ１２をリクライニングさせるために必要な椅子の後方のスペースを小さくすることができる。
【０１２４】
・各実施の形態の変形例のリクライニング椅子１０によれば、座走行具３４がピニオンギアにより構成され、座レール２５の走行面２５Ａにラックギアが形成される。このため、座フレーム３０が土台フレーム２０に対して前後方向に移動するとき、座フレーム３０の幅方向において対応するピニオンギアのそれぞれがラックギアと噛み合いながら同じように回転する。このため、座フレーム３０の幅方向においてガタが発生しにくくなる。このため、座フレーム３０の前後方向の移動が滑らかに形成されやすくなる。
【０１２５】
また、この変形例のリクライニング椅子１０によれば、電動伸縮機構６０および電気モーター６１に代えて、別の電気モーターを備えてもよい。例えば、この別の電気モーターが一方のピニオンギアと他方のピニオンギアとを互いに連結する軸に接続される。この場合、別の電気モーターの出力軸の回転が複数のギア等の歯車を介してその軸に伝達され、その軸が回転することにより各ピニオンギアが回転する。これにより、座フレーム３０および背フレーム５０が連動して土台フレーム２０に対して前後方向に移動する。
【０１２６】
・各実施の形態の変形例のリクライニング椅子１０によれば、背走行具５４がピニオンギアにより構成され、背レール２６の走行面２６Ａにラックギアが形成される。このため、背フレーム５０が土台フレーム２０に対して前後方向に移動するとき、背フレーム５０の幅方向において対応するピニオンギアのそれぞれがラックギアと噛み合いながら同じように回転する。このため、背フレーム５０の幅方向においてガタが発生しにくくなる。このため、背フレーム５０の前後方向の移動が滑らかに形成されやすくなる。
【０１２７】
また、この変形例のリクライニング椅子１０によれば、電動伸縮機構６０および電気モーター６１に代えて、別の電気モーターを備えてもよい。例えば、この別の電気モーターが一方のピニオンギアと他方のピニオンギアとを互いに連結する軸に接続される。この場合、別の電気モーターの出力軸の回転が複数のギア等の歯車を介してその軸に伝達され、その軸が回転することにより各ピニオンギアが回転する。これにより、座フレーム３０および背フレーム５０が連動して土台フレーム２０に対して前後方向に移動する。
【０１２８】
・各実施の形態の変形例のリクライニング椅子１０によれば、電動伸縮機構６０が、土台フレーム２０と座フレーム３０との間の空間に加えて、土台フレーム２０と背フレーム５０との間の空間に配置される。
【０１２９】
・座レール２５が座フレーム３０よりも下方に配置されるか否かは、任意の選択事項である。
・背レール２６が背フレーム５０よりも下方に配置されるか否かは、任意の選択事項である。
【０１３０】
・各実施の形態の変形例のリクライニング椅子１０によれば、回転フレーム４０と第１の回転支点部４１の背もたれ５０側のストッパーとが接触しているとき、その接触と同時に座走行具３４と座ストッパーとが接触する。また、回転フレーム４０と第２の回転支点部４２の背もたれ５０側のストッパーとが接触しているとき、その接触と同時に背走行具５４と背ストッパーとが接触する。
【０１３１】
・各実施の形態の変形例のリクライニング椅子１０によれば、座走行具３４と座ストッパーとが接触しているとき、回転フレーム４０とストッパーとの間に間隔が形成される。また、背走行具５４と背ストッパーとが接触しているとき、回転フレーム４０とストッパーとの間に間隔が形成される。
【０１３２】
・回転フレーム４０の回転を規制するためのストッパーが第１の回転支点部４１の前方側である背もたれ５０とは反対側に形成されるか否かは、任意の選択事項である。
・回転フレーム４０の回転を規制するためのストッパーが第１の回転支点部４１の後方側である背もたれ５０側に形成されるか否かは、任意の選択事項である。
【０１３３】
・回転フレーム４０の回転を規制するためのストッパーが第２の回転支点部４２の前方側である背もたれ５０とは反対側に形成されるか否かは、任意の選択事項である。
・回転フレーム４０の回転を規制するためのストッパーが第２の回転支点部４２の後方側である背もたれ５０側に形成されるか否かは、任意の選択事項である。
【０１３４】
・各実施の形態の変形例のリクライニング椅子１０によれば、連結設置フレーム２２が右側の設置フレーム２１の前方の部分と左側の設置フレーム２１の前方の部分とを互いに接続する。なお、この変形例において、連結設置フレーム２２が設置フレーム２１の前方の部分と接続するか否かは、任意の選択事項である。
【０１３５】
・土台フレーム２０に連結設置フレーム２２を含めるか否かは、任意の選択事項である。変形例のリクライニング椅子１０によれば、回転フレーム４０が設置フレーム２１とサイドフレーム３１とを互いに接続している。
【０１３６】
・各実施の形態の変形例のリクライニング椅子１０によれば、右側の回転フレーム４０が右側の設置フレーム２１の前方の部分と右側のサイドフレーム３１の先端部分とを互いに接続する。また、左側の回転フレーム４０が左側の設置フレーム２１の前方の部分と左側のサイドフレーム３１の先端部分とを互いに接続する。
【０１３７】
・座走行具３４と接触する座ストッパーが座レール２５のうちの土台フレーム２０に対して前方の部分に形成されるか否かは、任意の選択事項である。
・座走行具３４と接触する座ストッパーが座レール２５のうちの土台フレーム２０に対して後方の部分に形成されるか否かは、任意の選択事項である。
【０１３８】
・背走行具５４と接触する背ストッパーが背レール２６のうちの土台フレーム２０に対して前方の部分に形成されるか否かは、任意の選択事項である。
・背走行具５４と接触する背ストッパーが背レール２６のうちの土台フレーム２０に対して後方の部分に形成されるか否かは、任意の選択事項である。
【０１３９】
・各実施の形態の変形例のリクライニング椅子１０によれば、背レール２６および背走行具５４に代えて、回転フレームを備える。この回転フレームは、土台フレーム２０および背フレーム５０に対して前後方向に回転できるように土台フレーム２０と背フレーム５０とを互いに接続している。このため、背フレーム５０が前方に移動するとき、この回転フレームが土台フレーム２０に対して前方に向かって回転する。
【０１４０】
・回転フレーム４０が回転する動作範囲は回転フレーム４０と連結設置フレーム２２とのなす角が４５°〜１３５°の範囲内であるか否かは、任意の選択事項である。
・背フレーム５０が土台フレーム２０に対して最も後方に回転した状態のとき、回転フレーム４０とサイドフレーム３１との接続部分が座レール２５の先端部分よりも土台フレーム２０に対して前方の位置を取るか否かは、任意の選択事項である。
【０１４１】
・背フレーム５０が土台フレーム２０に対して最も前方に回転した状態のとき、回転フレーム４０とサイドフレーム３１との接続部分が、座レール２５の先端部分よりも土台フレーム２０に対して後方の位置を取るか否かは、任意の選択事項である。
【０１４２】
・背フレーム５０が土台フレーム２０に対して最も前方に回転した状態のとき、回転フレーム４０と連結設置フレーム２２との接続部分と、座レール２５の先端部分とが、土台フレーム２０の前後方向において概ね同じ位置を取るか否かは、任意の選択事項である。変形例のリクライニング椅子１０によれば、背フレーム５０が土台フレーム２０に対して最も前方に回転した状態のとき、座レール２５の先端部分が回転フレーム４０と連結設置フレーム２２との接続部分よりも土台フレーム２０に対して後方の位置を取る。
【０１４３】
・座フレーム３０が土台フレーム２０に対して前方に移動するにつれて、座フレーム３０のうちの前方の部分が後方の部分に対して上昇するか否かは、任意の選択事項である。変形例のリクライニング椅子１０によれば、座フレーム３０が土台フレーム２０に対して前方に移動するとき、座フレーム３０が土台フレーム２０に対して平行に移動する。
【０１４４】
・座フレーム３０のうちの前方の部分が後方の部分に対して上昇するように座フレーム３０が所定の位置まで前方に移動した後、座フレーム３０が土台フレーム２０に対してさらに移動するにつれて、座フレーム３０のうちの前方の部分が後方の部分に対して下降するか否かは、任意の選択事項である。
【０１４５】
・座フレーム３０が土台フレーム２０および座走行具３４に対して相対的に回転できるように座走行具３４が取り付けられるか否かは、任意の選択事項である。
・背フレーム５０が土台フレーム２０および背走行具５４に対して相対的に回転できるように背走行具５４が取り付けられるか否かは、任意の選択事項である。
【０１４６】
・各実施の形態の変形例のリクライニング椅子１０によれば、座レール２５が座フレーム３０に固定され、座走行具３４が土台フレーム２０に取り付けられる。このため、座フレーム３０が土台フレーム２０に対して前後方向に移動するとき、座レール２５が座走行具３４に対して前後方向に移動する。なお、この変形例のリクライニング椅子１０によれば、座走行具３４が土台フレーム２０に対して相対的に回転できるように土台フレーム２０に取り付けられるか否かは、任意の選択事項である。
【０１４７】
・各実施の形態の変形例のリクライニング椅子１０によれば、背レール２６が背フレーム５０に固定され、背走行具５４が土台フレーム２０に取り付けられる。このため、背フレーム５０が土台フレーム２０に対して前後方向に移動するとき、背レール２６が背走行具５４に対して前後方向に移動する。なお、この変形例のリクライニング椅子１０によれば、背走行具５４が土台フレーム２０に対して相対的に回転できるように土台フレーム２０に取り付けられるか否かは、任意の選択事項である。
【０１４８】
・各実施の形態の変形例のリクライニング椅子１０によれば、回転フレーム４０に代えて、土台フレーム２０に対して前後方向に移動できるように土台フレーム２０と座フレーム３０とを互いに接続する接続フレームを備える。この構成の一例によれば、電動伸縮機構６０は、接続フレームに向かって伸展するように接続フレームと土台フレーム２０とを互いに接続する。また、土台フレーム２０にはレールが形成され、接続フレームがそのレールに対して前後方向に走行できるように接続フレームの土台フレーム２０側には走行具が取り付けられる。
【０１４９】
この電動伸縮機構６０は、接続フレームに向かって伸展することにより、接続フレームに取り付けられた走行具が土台フレーム２０に形成されるレールに沿って走行する。このため、座フレーム３０および背フレーム５０が連動して土台フレーム２０に対して前方に移動するとともに、背フレーム５０が座フレーム３０との接続部分を軸として回転する。
【０１５０】
・座走行具３４の数は、任意の選択事項である。
・座走行具３４の形状が直方体であるか否かは、任意の選択事項である。
・背走行具５４の数は、任意の選択事項である。
【０１５１】
・背走行具５４の形状が直方体であるか否かは、任意の選択事項である。
・回転フレーム４０の数は、任意の選択事項である。
・リクライニング椅子１０にオットマン１４を含めるか否かは、任意の選択事項である。
【０１５２】
・各実施の形態の変形例のリクライニング椅子１０によれば、マッサージ機１から独立した１つの物体として構成される。
【符号の説明】
【０１５３】
１…マッサージ機
１０…リクライニング椅子
１１…座
２０…土台フレーム
２１…設置フレーム
２２…連結設置フレーム
２５…座レール
２６…背レール
３０…座フレーム
３４…座走行具
４０…回転フレーム
５０…背フレーム
５４…背走行具
１２５…座レール
【図１】
2016013237.tif 000003
【図２】
2016013237.tif 000004
【図３Ａ】
2016013237.tif 000005
【図３Ｂ】
2016013237.tif 000006
【図３Ｃ】
2016013237.tif 000007
【図４Ａ】
2016013237.tif 000008
【図４Ｂ】
2016013237.tif 000009
【図４Ｃ】
2016013237.tif 000010
【図５】
2016013237.tif 000011
【図６】
2016013237.tif 000012
【図７】
2016013237.tif 000013